(57)【要約】      （修正有）【課題】被塗装面に凹凸があっても、良好に塗装が行える安価で使い易いローラー刷子を提供する。【解決手段】挿入軸４に着脱可能に取り付けられ、挿入軸４を中心に回転可能に保持されて、塗料を塗布するために使用するローラー刷子１である。ローラー刷子１の軸方向の略中央部には、ローラー刷子１の回転方向Ａ１、Ａ２を一方向Ａ２のみに制限するワンウェイベアリング１１が内蔵されている。【選択図】図１
0003152590.tif 000002
【実用新案登録請求の範囲】
【請求項１】
塗料を塗布するために使用するローラー刷子であって、
挿入軸に取り付けられ、挿入軸を中心に回転可能に保持されるローラーを有し、
ローラー周面には、塗料を浸漬させるための浸漬層が設けられ、
ローラー内部には、ローラーの軸方向に延びる筒軸が設けられ、
前記筒軸内には、ローラーの軸方向一端側で前記挿入軸を回転自在に支持する側部軸受と、ローラーの軸方向略中央部で前記挿入軸を回転自在に支持する中央部軸受と、前記中央部軸受の前記側部軸受のある側と反対側に隣接して設けられ、前記挿入軸を一方向へ回転自在に支持するが、逆方向には回転を阻止するように支持するワンウェイベアリングと、を有することを特徴とするローラー刷子。
【請求項２】
挿入軸に着脱可能に取り付けられ、挿入軸を中心に回転可能に保持されて、塗料を塗布するために使用するローラー刷子であって、
前記ローラー刷子の軸方向の略中央部に、ローラー刷子の回転方向を一方向のみに制御するワンウェイベアリングが内蔵されていることを特徴とするローラー刷子。
【考案の詳細な説明】
【技術分野】
【０００１】
この考案は、ローラー刷子に関する。
【背景技術】
【０００２】
ペンキを塗布する道具として、ローラー刷子が周知である。従来のローラー刷子は、取っ手、取っ手から延びるアームシャフト、アームシャフトの先端に回転自在に設けられたローラーを備えている。ローラーは前後いずれの方向にも回転自在であり、ペンキを浸漬させたローラーを被塗装面に当てて転がすことにより、塗装が行われる。
【先行技術文献】
【特許文献】
【０００３】
【特許文献１】実用新案登録第３０８２３８７号公報
【特許文献２】特開２００９−１０１２５３号公報
【特許文献３】特開２００３−３３４４８６号公報
【特許文献４】特開２００１−９３５１号公報
【考案の概要】
【考案が解決しようとする課題】
【０００４】
従来のローラー刷子は、取っ手を握り、ローラーを被塗装面に押し当てて回転させることにより塗装を行うが、ローラーを手前に引きながら例えば後方回転させる場合であっても、ローラーを前方に押し出すように前方回転させて塗装を行う場合であっても、ローラーは自在に回転する。
ところで、被塗装面に凹凸が存在する場合、回転するローラーによっては凹凸内にペンキが十分に行き渡りにくいという課題がある。特に、回転するローラーによりペンキを塗布する場合、回転するローラーは凹部内にペンキを与えにくく、凹凸部に良好な塗装がしにくいという課題があった。
【０００５】
この考案は、上記課題を解決するためになされたものであり、被塗装面に凹凸があっても、良好に塗装が行えるローラー刷子を提供することを主たる目的とする。
この考案は、また、ローラー刷子において、ローラーをたとえば引き動かすときにはローラーが回転するが、逆方向に動かすとき、たとえば押し動かすときにはローラーが回転しないようにして、ローラーを回転させない状態でも塗装ができるようにしたローラー刷子を提供することを他の目的とする。
【０００６】
さらにこの考案は、ローラーを所定の方向には回転しない構成とし、回転しないローラーを刷毛の代わりに使用して、被塗装面に形成された凹凸等に対する塗装処理が行い易いローラー刷子を提供することを他の目的とする。
【課題を解決するための手段】
【０００７】
上記課題を解決するため、本件考案は、以下の構成を有している。
請求項１記載の考案は、塗料を塗布するために使用するローラー刷子であって、挿入軸に取り付けられ、挿入軸を中心に回転可能に保持されるローラーを有し、ローラー周面には、塗料を浸漬させるための浸漬層が設けられ、ローラー内部には、ローラーの軸方向に延びる筒軸が設けられ、前記筒軸内には、ローラーの軸方向一端側で前記挿入軸を回転自在に支持する側部軸受と、ローラーの軸方向略中央部で前記挿入軸を回転自在に支持する中央部軸受と、前記中央部軸受の前記側部軸受のある側と反対側に隣接して設けられ、前記挿入軸を一方向へ回転自在に支持するが、逆方向には回転を阻止するように支持するワンウェイベアリングと、を有することを特徴とするローラー刷子である。
【０００８】
請求項２記載の考案は、挿入軸に着脱可能に取り付けられ、挿入軸を中心に回転可能に保持されて、塗料を塗布するために使用するローラー刷子であって、前記ローラー刷子の軸方向の略中央部に、ローラー刷子の回転方向を一方向のみに制御するワンウェイベアリングが内蔵されていることを特徴とするローラー刷子である。
【考案の効果】
【０００９】
この考案は、ローラー刷子であって、ローラーを一方方向へ回転させる際には、ローラーがスムーズに回転して、ローラー刷子本来の機能を発揮し、被塗装面、特に広い被塗装面を良好に塗装することができる。
一方、ローラーを前記一方方向と逆方向に回転させるように操作しようとした場合、ローラーは回転しない。従って、回転しないローラーにより、被塗装面に形成された凹凸等を良好に塗装することができる。
【００１０】
この考案のローラー刷子は、ローラーの回転を一方方向にだけ許容し、反対方向には阻止する部材が、市販のワンウェイベアリング（ワンウェイクラッチとも称される）により実現されている。このワンウェイベアリングは、ローラーの軸方向ほぼ中央部に収容されている。ローラーの長さ方向（軸方向）の略中央部において、一方向に回転を許容したり、逆方向に回転を阻止する機能が果たされるため、ローラーの軸方向（左右方向）バランスが良く、ローラーをスムーズに一方向へ回転させることができるとともに、逆方向への回転を阻止することができる。
【００１１】
また、ローラー端部から毛細現象等によりローラーの内筒内に塗料が侵入しても、侵入した塗料はローラーの軸方向中央部に収容されたワンウェイベアリングにまでは達することはない。よって、精密部品であるワンウェイベアリングに塗料が付着し、ワンウェイベアリングの機能が低下する（回転がスムーズに行えなくなる）といった不具合が生じない。
【００１２】
この考案によれば、安価でかつ使い勝手が良く、良好な塗装を行うことができるローラー刷子を提供することができる。
【図面の簡単な説明】
【００１３】
【図１】この考案の一実施形態に係るローラー刷子の全体構成を示す図である。
【図２】この考案の一実施形態に係るローラー刷子のローラー部の構成を説明するための横断面図である。
【考案を実施するための形態】
【００１４】
以下には、図面を参照して、この考案の実施例について具体的に説明する。
【実施例】
【００１５】
図１は、この考案の一実施例に係るローラー刷子１の斜視図である。図１では、ローラー１０内における特徴的な構成が破線で示されている。
この実施例に係るローラー刷子１は、取っ手２と、取っ手２の先端から突出し、所定の形状に折り曲げて構成されているアームシャフト３と、アームシャフト３の先端部に形成された挿入軸４に取り付けられたローラー１０とを有している。ローラー１０は、挿入軸４に対して、取り外し可能であり、異なる種類、用途のローラー１０を挿入軸４に取り付けることができる。
【００１６】
この実施例の特徴は、挿入軸４とローラー１０との間に、ワンウェイベアリング（ワンウェイクラッチとも称される）１１が介在していることである。この結果、ローラー１０は、挿入軸４を中心に、たとえば矢印Ａ２方向へは回転自在であるが、矢印Ａ２と逆方向の矢印Ａ１方向へは回転しない構成となっている。なお、この回転方向、回転阻止方向は、それぞれ逆方向としてもよい。
【００１７】
図１に示すＡ−Ａに沿うローラー１０の横断面平面図を、図２に示す。
図２を参照して、ローラー１０は、ペンキ等の塗料を塗布するために使用されるものであり、筒軸１２の周面に塗料浸漬層１３が形成されている。塗料浸漬層１３は、種々の構成を採用することができる。たとえば、スポンジ生地により構成された浸漬層、刷子により構成された浸漬層、厚手不織布等により構成された浸漬層、その他の種々の浸漬層を採用することができる。また、浸漬層の厚みや横方向長さは、ローラー１０の用途にあわせて、種々の寸法が採用される。
【００１８】
ローラー１０の芯となる筒軸１２内は空洞となっている。そしてこの空洞内に、たとえば樹脂製の軸ホルダ１４が挿入されている。軸ホルダ１４は、ローラー１０の一端１５側から筒軸１２内へ挿入されており、その挿入方向終端部はローラー１０の一端１５に当接する側面キャップ１６となっている。
軸ホルダ１４はローラー１０の一端１５側から筒軸１２内へ挿入されており、筒軸１２の軸方向中央部をやや越えた略中央部まで延びている。軸ホルダ１４は、ローラー１０の軸方向略中央部に位置するベアリング収容部１７と、一端１５寄りに位置する長手の軸受収容部１８とを含んでいる。ベアリング収容部１７と軸受収容部１８との境界には、くびれ部１９が形成されていて、くびれ部１９の内周面２０は、挿入軸４のための中央側軸受２０となっている。
【００１９】
軸受収容部１８内には、挿入される挿入軸４に外嵌し、挿入軸４が反挿入方向へ抜け出るのを防止するためのコレットチャック２１が収容されている。コレットチャック２１は、たとえば樹脂でできた筒体であり、その内径が挿入軸４の外径よりやや小さく、その外径は軸受収容部１８の内径よりやや小さい。そして、軸方向に一端から他端まで延びる割れ目が形成されている。挿入軸４がコレットチャック２１に挿入されと、コレットチャック２１の割れ目が広がり、コレットチャック２１の外周径が拡開する。これにより、コレットチャック２１の外周面は軸受収容部１８の内周面に押圧され、挿入軸４を軸ホルダ１４に対して固定する。
【００２０】
軸受収容部１８には、側面キャップ１６側から挿入軸受２２が挿入されている。挿入軸受２２は、ローラー１０の軸方向一端側において、挿入軸を回転自在に支持する側部軸受である。すなわち、挿入軸受２２は、挿入軸４の根元側（図において右側）を回転自在に支持している。挿入軸受２２の一端（図２において右端）は、側面キャップ１６とほぼ面一に嵌合している。なお、挿入軸受２２は、軸受収容部１８に挿入され、軸ホルダ１４に接着剤等によって固定されている。
【００２１】
軸ホルダ１４のベアリング収容部１７内には、ワンウェイベアリング１１が収容されている。ワンウェイベアリング１１の外周面（外輪）は、ベアリング収容部１７内で固定されている。ワンウェイベアリング１１の内輪には、挿入された挿入軸４の先端部（図２において左端部）が内嵌する。
さらに、ワンウェイベアリング１１には、ベアリング収容部１７内でその外輪が回転しないよう、筒スペーサー２３によって図２において左側から押圧力が加えられている。
【００２２】
筒スペーサー２３は、その一端面（図２において右端面）が、上述したように、ベアリング収容部１７内に収容されたワンウェイベアリング１１の図において左端面を右方向に押圧しており、ワンウェイベアリング１１がベアリング収容部１７内で回動しないように、かつベアリング収容部１７から左方向へ抜け出ないようにしている。筒スペーサー２３の左端部は、筒軸１２の左端部からわずかに突出しており、筒軸１２の左端部に嵌合固定されたキャップ２４の内面と当接している。
【００２３】
キャップ２４は、筒軸１２の左端面を覆っており、筒軸１２内に塗料が侵入するのを阻止している。
ワンウェイベアリング１１は、内輪および外輪を有し、外輪を固定した場合、内輪に嵌合された回転軸を一方方向にのみ回転させ、他方向へは回転させないという特性を有するベアリングであり、種々の大きさや規格のものが市販されている。（たとえば、ＮＴＮ社により、他種類のワンウェイベアリング（ワンウェイクラッチ）が販売されている。）
この実施例では、かかる市販のワンウェイベアリング１１を用いることにより、ローラー１０が一方向にのみ回転可能な構成を実現した。
【００２４】
また、ワンウェイベアリング１１は、金属製の小型精密部品である。そしてベアリングとしての回転を確保するため、グリース等が内部に塗布されている。このため、ワンウェイベアリング１１に塗料等の粘性のある液体が付着すると、ワンウェイベアリング１１のスムーズな回転を妨げる恐れがある。
そこで、この実施例では、ワンウェイベアリング１１を、塗料が触れることのないローラー１０の軸方向ほぼ中央部に配置するように、軸ホルダ１４の形状等が工夫されている。また、ワンウェイベアリング１１をローラー１０の軸方向中央部に設けたことにより、挿入軸４に対するローラー１の回転がスムーズになる。換言すれば、ローラー１０の回転が、軸方向左右でブレることなく、スムーズに一方向に回転し、逆方向に回転が阻止される構成とすることができる。
【００２５】
さらに、挿入軸４の根元側、すなわちアームシャフト３をほぼ９０°曲成して挿入軸４が構成されているが、この挿入軸４の根元側は、挿入軸受２２により回転自在に軸支されている関係上、挿入軸受２２と挿入軸４との隙間から、毛細管現象等により、ペンキ等の塗料がわずかに侵入する可能性がある。しかし、たとえわずかの塗料が侵入しても、その塗料は中央側軸受２０を経てローラー１０の軸方向ほぼ中央部に設けられたワンウェイベアリング１１まで到達することはない。よって、ローラー１０のスムーズな回転が、塗料の進入等により阻害されることはない。
【００２６】
この考案は、以上説明した実施例に限定されるものではなく、請求項記載の範囲内において種々の変更が可能である。
【符号の説明】
【００２７】
１    ローラー刷子
２    把手
３    アームシャフト
４    挿入軸
１０    ローラー
１１    ワンウェイベアリング
１２    筒軸
１３    塗料浸漬層
１４    軸ホルダ
１５    一端
１６    側面キャップ
１７    ベアリング収容部
１８    軸受収容部
２０    中央側軸受
２２    挿入軸受（側部軸受）
【図１】
0003152590.tif 000003
【図２】
0003152590.tif 000004